(57)【特許請求の範囲】
【請求項１】
上層、不織布から成る中間層及び下層から成る多層抄き合わせ紙であって、前記多層抄き合わせ紙は、前記上層及び／又は前記下層に施されたすき入れと、前記中間層に施された開口部とを有し、前記開口部は、前記上層及び／又は前記下層に施されたすき入れの領域を囲んだ状態で配置されたことを特徴とするすき入れが施された多層抄き合わせ紙。
【請求項２】
上層、不織布から成る中間層及び下層から成る多層抄き合わせ紙であって、前記多層抄き合わせ紙は、前記上層及び／又は前記下層に施されたすき入れと、前記中間層に施された開口部とを有し、前記開口部は、前記上層及び／又は前記下層に施されたすき入れの領域を囲んだ状態で配置及び前記上層及び／又は前記下層に施されたすき入れの領域以外の領域に対応して少なくとも一つ配置されたことを特徴とするすき入れが施された多層抄き合わせ紙。
【請求項３】
前記中間層は、光学的、電気的又は磁気的な特定物質のいずれか一つ以上を混抄又は印刷されていることを特徴とする請求項１又は２記載のすき入れが施された多層抄き合わせ紙。
【発明の詳細な説明】
【技術分野】
【０００１】
本発明は、少なくとも三つの層から成るすき入れが施された多層抄き合わせ紙に関するものである。
【背景技術】
【０００２】
銀行券、証券類等の貴重品は、偽造、変造を防ぐ必要がある。偽造、変造を防ぐ手段は、すき入れや多層抄き合わせ紙等が挙げられる。すき入れは、紙の製造段階で付与されるものである。すき入れは、通常、反射光では確認できず、透過光で確認できる技術である。また、多層抄き合わせ紙は、紙層内に偽造防止要素を施すために中間層を付与し、中間層に光学的、電気的又は磁気的な特定物質を付与して偽造防止の向上を図っている。
【０００３】
例えば、抄紙機の無端抄紙網上で多層抄き合わせ紙の中間層にシートを挿入して上下を複数の原料層流で挟み込み、無端抄紙網上で多層のウェットウェブを構成し、中間層にはあらかじめ光学的、電気的又は磁気的な特定物質のいずれか一つ以上を混抄又は印刷して図柄等を形成した多層抄き合わせ紙又は中間層に孔によって文字や図柄を形成した多層抄き合わせ紙、その製造方法及び多層抄き合わせ紙の製造装置に関する技術が開示されている。また、多層抄き合わせ紙には、白黒すき入れが施されることが記載されている（特許文献１）。
【０００４】
【特許文献１】特開２００３−１３３９５号公報（第１頁、第１−９図）
【０００５】
しかしながら、中間層のシートに不織布等の透過光量を減衰させてしまう素材を設けた中間層に偽造防止要素（印刷等）を施した多層抄き合わせ紙にすき入れを施した場合、すき入れが施された多層抄き合わせ紙を透過光で観察した場合に、透過光量を減衰させてしまう中間層のシートによって、多層抄き合わせ紙自体の透過光量も減衰し、透過光で確認されるすき入れの鮮明度が低下するという問題があった。また、多層抄き合わせ紙は、中間層のシートと上層又は下層との結合力が弱いために、中間層のシートと上層又は下層の界面からの剥離が生じる問題があった。さらに、中間層のシート内部からの剥離が生じる問題があった。
【発明の開示】
【発明が解決しようとする課題】
【０００６】
本発明は、前述した問題点を解決することを目的としたもので、上層、中間層及び下層から成る多層抄き合わせ紙にすき入れを施した場合において、中間層に透過光量を減衰させてしまう不織布を設けた場合においても透過光で視認されるすき入れ鮮明度が低下することなく、また、中間層のシートと上層又は下層の界面及び中間層のシート内部からの剥離が生じる問題がなく、中間層のシートの開口部以外の領域に偽造防止要素が施すことが可能なすき入れが施された多層抄き合わせ紙を提案するものである。
【課題を解決するための手段】
【０００７】
本発明は、上層、不織布から成る中間層及び下層から成る多層抄き合わせ紙であって、多層抄き合わせ紙は、上層及び／又は下層に施されたすき入れと、中間層に施された開口部とを有し、開口部は上層及び／又は下層に施されたすき入れの領域に対応して配置されたことを特徴とするすき入れが施された多層抄き合わせ紙である。
【０００８】
また、本発明は、上層、不織布から成る中間層及び下層から成る多層抄き合わせ紙であって、多層抄き合わせ紙は上層及び／又は下層に施されたすき入れと、中間層に施された開口部とを有し、開口部は上層及び／又は下層に施されるすき入れの領域に対応して配置及び上層及び／又は下層に施されるすき入れの領域以外の領域に対応して少なくとも一つ配置されたことを特徴とするすき入れが施された多層抄き合わせ紙である。
【０００９】
また、本発明の中間層は、光学的、電気的又は磁気的な特定物質のいずれか一つ以上を混抄又は印刷されていることを特徴とするすき入れが施された多層抄き合わせ紙である。
【００１０】
また、本発明の開口部は光学的、電気的又は磁気的な特定物質の一つ以上を混抄又は印刷されている領域以外の領域に施されているすき入れが施された多層抄き合わせ紙である。
【発明の効果】
【００１１】
本発明は、少なくとも三つの層から成るすき入れが施された多層抄き合わせ紙であり、中間層のシートに開口部を上層及び／又は下層に施されるすき入れの領域に設ける。すき入れの領域の上層の紙料及び下層の紙料は、中間層のシートが開口部によって施されていないため、一体化して繊維間が結合する。よって、すき入れが施された多層抄き合わせ紙の開口部が設けられた領域は、上層の紙料及び下層の紙料で結合されることで、中間層のシートと上層又は下層の界面及び中間層のシート内部からの剥離が困難となる。
【００１２】
仮に、強引に剥離させようとした場合は、多層抄き合わせ紙が破壊されるため、剥離による偽造、改ざんを防ぐことができる。
【００１３】
さらに、すき入れの領域は、透過光量を減衰させてしまう不織布から成る中間層のシートが開口部によって施されていないため、中間層によって透過光量を減衰させてしまうことはない。よって、多層抄き合わせ紙でありながら、すき入れが施された多層抄き合わせ紙を透過光で観察した場合に、すき入れ鮮明度が低下することがない。また、中間層のシートの開口部では、繊維のみであるためすき入れが施しやすい。本発明のすき入れが施された多層抄き合わせ紙は、中間層に開口部を設けない多層抄き合わせ紙に比べ、すき入れの鮮明度が格段に向上する。当然、すき入れが施された多層抄き合わせ紙は、中間層のシートが設けられているために、開口部以外の領域に偽造防止要素が施すことが可能となる。
【発明を実施するための最良の形態】
【００１４】
本発明を実施するための最良の形態は、図面を参照して説明する。しかしながら、本発明は以下に述べる実施のための最良の形態に限定されるものではなく、特許請求の範囲記載における技術的思想の範囲内であれば、その他のいろいろな実施の形態が含まれる。
【００１５】
（多層抄き合わせ紙）
本発明は、抄紙網上に、先行紙料から得られる下層の懸濁液状の紙層、開口部が施される中間層及び後紙料から得られる上層の懸濁液状の紙層から成る多層抄き合わせ紙であって、上層及び／又は下層にすき入れが施され、中間層に施される開口部は、上層及び／又は下層に施されるすき入れの領域に配置され、順次層状に乾燥し形成されて成るすき入れが施された多層抄き合わせ紙である。下層にすき入れが施される多層抄き合わせ紙を下記に示す。
【００１６】
図１は、先行紙料から得られる下層の懸濁液状の紙層から成るすき入れ５が施された下層紙層１、開口部４ａが施された中間層となるシート２及び後紙料から得られる上層の懸濁液状の紙層から成る上層紙層３が、順次積層されたすき入れ５が施された多層抄き合わせ紙Ａ１とその断面図である。
【００１７】
中間層のシート２の開口部４ａは、下層紙層１のすき入れ５の領域５ａを囲んだ状態で配置される。ここでいう、すき入れ５の領域５ａとは、すき入れ５の全体の部分と、更にその周辺の領域も含まれる。すき入れ５の領域の上層紙層３の紙料及び下層紙層１の紙料は、中間層のシート２が開口部４ａによって施されていないため、懸濁液である上層紙層３の紙料は下層に入り込み、懸濁液である下層紙層１の紙料は上層に入り込み、開口部の領域は空洞とはならず、上層紙層の紙料と下層紙層の紙料が一体化して繊維間が結合する。よって、中間層のシート２に起因した剥離が困難となる。
【００１８】
さらに、すき入れ５の領域５ａを含む開口部の領域は、中間層のシート２が施されていないため、上層紙層及び下層紙層の紙料の坪量は一定なことから、他の領域に比べ紙層が若干薄い状態となる。また、開口部４ａでは繊維のみで形成される状態となる。よって、すき入れ５が施された多層抄き合わせ紙Ａ１を透過光で観察した場合に、不織布等の透過光量を減衰させてしまう中間層のシート２によって透過光量が減衰することがないため、繊維のみで施されたすき入れにより、鮮明にすき入れ５が確認できる。
【００１９】
図２は、先行紙料から得られる下層の懸濁液状の紙層から成るすき入れ５が施された下層紙層１、開口部４ａ、４ｂが施された中間層となるシート２及び後紙料から得られる上層の懸濁液状の紙層から成る上層紙層３が、順次積層されたすき入れ５が施された多層抄き合わせ紙Ａ２とその断面図である。
【００２０】
中間層のシート２の開口部４ａは、下層紙層１のすき入れ５の領域５ａを囲んだ状態で配置される。ここでいう、すき入れ５の領域５ａとは、すき入れ５の全体の部分とその周辺の領域も含まれる。中間層のシート２の開口部４ｂは、特定の領域に形成される。開口部４ｂは図２では一つのみで形成されているが複数設けても良い。また、開口部４ｂを形成する位置は、後述するような中間層のシートに光学的、電気的又は磁気的な特定物質の一つ以上を混抄又は印刷されている場合は、その領域以外の所定の位置の領域に施す必要がある。
【００２１】
すき入れ５の領域の上層紙層３の紙料及び下層紙層１の紙料は、中間層のシート２が開口部４ａによって施されていないため、懸濁液である上層紙層３の紙料は下層に入り込み、懸濁液である下層紙層１の紙料は上層に入り込み、開口部の領域は空洞とはならず、上層紙層の紙料と下層紙層の紙料が一体化して繊維間が結合する。さらに、すき入れ５の領域の上層紙層３の紙料及び下層紙層１の紙料は、中間層のシート２が開口部４ｂによって施されていないため、上層紙層３の紙料は下層に入り込み、下層紙層１の紙料は上層に入り込み、上層紙層の紙料と下層紙層の紙料が一体化して繊維間が結合する。よって、中間層のシート２に起因した剥離が困難となる。
【００２２】
図３にすき入れ５が施された多層抄き合わせ紙Ａ２を強引に手で剥離した場合を示す。図３（ａ）は、中間層のシートと上層又は下層の界面からの剥離をした場合を示す。開口部４ａ及び開口部４ｂの領域は、上層紙層３の紙料は下層に入り込み、下層紙層１の紙料は上層に入り込み、上層紙層の紙料と下層紙層の紙料が一体化して繊維間が結合しているため剥離防止効果が向上している。よって、多層抄き合わせ紙Ａ２を強引に手で剥離した場合は、開口部４ａ及び開口部４ｂの領域で剥離されることがないため、その領域で破壊されているため、きれいに剥離されることがない。図３（ｂ）は、中間層のシート内部からの剥離した場合を示す。開口部４ａ及び開口部４ｂの領域は、上層紙層３の紙料は下層に入り込み、下層紙層１の紙料は上層に入り込み、上層紙層の紙料と下層紙層の紙料が一体化して繊維間が結合しているため剥離防止効果が向上している。よって、多層抄き合わせ紙Ａ２を強引に手で剥離した場合は、開口部４ａ及び開口部４ｂの領域で剥離されることがないため、その領域で破壊されているため、きれいに剥離されることがない。
【００２３】
中間層のシートに施される開口部４ｂは、所定の位置に設けられる。図４に示すように多層抄き合わせ紙Ａ２の開口部４ｂを多層抄き合わせ紙の周辺部ｐ（斜線の領域）に設けることによって、後述する上層又は下層の層間剥離の防止効果が向上し、強引に剥離しようとした場合においては、上層又は下層が破壊される。
【００２４】
さらに、すき入れ５の領域５ａを含む開口部の領域は、中間層のシート２が施されていないため、上層紙層及び下層紙層の紙料の坪量は一定なことから、他の領域に比べ紙層が若干薄い状態となる。また、開口部４ａでは繊維のみで形成される状態となる。よって、すき入れ５が施された多層抄き合わせ紙Ａ２を透過光で観察した場合に、不織布等の透過光量を減衰させてしまう中間層のシート２によって透過光量が減衰することがないため、繊維のみで施されたすき入れにより、鮮明にすき入れ５が確認できる。図５にすき入れ５が施された多層抄き合わせ紙Ａ２を透過光で観察した場合を示す。図５に示すように開口部４ａ内にすき入れ５が確認できる。
【００２５】
すき入れが施された多層抄き合わせ紙Ａ１、Ａ２の中間層のシート２は、不織布である。不織布はレーヨンであることが好ましい。シートの目付は、１０〜３０ｇ／ｍ2程度が好ましい。中間層のシート２の幅は、開口部４ａ、４ｂが設けられれば特に限定されるものではない。不織布の厚さは、２０〜１００μｍ程度から成る。
【００２６】
さらに、中間層のシート２の開口部４ａ及び４ｂの加工は、レーザ照射装置、ダイカット等の加工機器によるもので、特に限定されるものではない。開口部４ａ及び４ｂの形状は特に限定されるものではない。また、図６に示すように開口部４ａ、４ｂの形状は、三角形ａ、星型ｂ、楕円形ｃ及び多角形ｄ等で形成可能である。中間層のシート２の開口部４ａ及び４ｂの直径は、商品券等に形成されるすき入れの直径を考慮すると、１５〜７４ｍｍ程度が好ましく、剥離防止に関しては１５ｍｍ以上が好ましい。
【００２７】
すき入れ５は、一般的な白すき入れ、黒すき入れ又は白黒すき入れが施される。白すき入れ、黒すき入れ又は白黒すき入れの作製方法は特に限定されることなく、ダンディーロール、プレスロール等の従来のすき入れの作製装置によって施すことが可能である。
【００２８】
当然、すき入れが施された多層抄き合わせ紙Ａ１及びＡ２には、一般的な印刷方式によって印刷模様を付与することができる。印刷方式は特に限定されるものではない。
【００２９】
先行紙料から得られる下層の懸濁液状の紙層及び後紙料から得られる上層の懸濁液状の紙層は、特に限定されるものではないが、例えば、木材や木綿等の植物繊維を原料とするＫＰ法やＳＰ法によって得られる化学パルプ、ＧＰ、ＴＭＰ、ＣＴＭＰ、ＣＧＰ及びＳＣＰ等の機械パルプ、漂白パルプ及び古紙再生パルプ等のいずれかのパルプを適宜選択して使用できる。
【００３０】
本発明のすき入れが施された多層抄き合わせ紙のいずれかの層に、有色繊維若しくは細片、無色蛍光繊維若しくは細片、有色蛍光繊維若しくは細片、磁性繊維若しくは細片、金属細片、アルミ細片、赤外吸収特性を有する繊維又は細片、赤外反射特性を有する繊維又は細片又はサーモクロミック繊維若しくは細片等を少なくとも一種類を混抄することが可能である。さらに、スレッド、複数のすき入れ等を施すことができる。また、上層紙層３の紙料と、下層紙層１の紙料で紙料の種類又は色彩等を異ならせても良い。
【００３１】
特に中間層は、偽造防止要素を施すことが可能であり、例えば、光学的、電気的又は磁気的な特定物質のいずれか一つ以上を混抄又は印刷することができる。また、中間層に微細な穿孔群によって文字、模様等の情報を施しても良い。よって、このように中間層に偽造防止要素を施した場合、中間層に施される開口部は、偽造防止要素を施した領域以外の所定の位置の領域に施す必要がある。
【００３２】
次に、下層紙層に施されるすき入れと中間層のシートの開口部の位置合わせの一例を示す。
【００３３】
図７は、後述する本発明に係る多層抄き合わせ装置によって作製される帯状の多層抄き合わせ紙を長手方向で観察した場合及びそのＸ−Ｘ’断面を示す図である。この帯状の多層抄き合わせ紙Ｂでは、開口部４が施された中間層のシート２が、下層の懸濁液状の紙層から成る下層紙層１と、後紙料から得られる上層の懸濁液状の紙層から成る上層紙層３との間に抄き合わされて多層で一体に形成された構成を示している。開口部４はあらかじめ中間層のシート２の長手方向に、複数、一定間隔で開口部が加工されているか、又は後述する中間層のシート供給装置から中間層のシートを供給し、供給された中間層のシートに加工機器によって一定間隔で加工する。
【００３４】
図７に示すように多層抄き合わせ紙Ｂは、すき入れ５が施されている。多層抄き合わせ紙Ｂは、すき入れ５の位置ｒ（図面ではすき入れ５の一つの角部の位置としたが、あらかじめ決めておけば中心位置等でもよい。）に対して、開口部の位置ｑ（図面では開口部４の一つの角部の位置としたが、あらかじめ決めておけば中心位置等でもよい。）を、多層抄き合わせ紙Ｂの長手方向に開口部の位置ｑとすき入れ５の位置ｒの所定間隔ｓと定め、幅方向に開口部の位置ｑとすき入れ５の位置ｒの所定間隔ｔと定め、すき入れ５が開口部４内に入るように、開口部４が付与された中間層のシート２が挿入され定着される。つまり、開口部４が加工された中間層のシート２は、多層抄き合わせ紙Ｂの長手方向の開口部の位置ｑとすき入れ５の位置ｒの所定間隔ｓ又は幅方向の開口部の位置ｑとすき入れ５の位置ｒの所定間隔ｔのいずれか一方又は両方を調整して挿入する。よって、開口部４は、すき入れ５の位置と一致する。
【００３５】
（変形例１）
図８に示すように、多層抄き合わせ紙Ｂは、すき入れ５と所定の位置関係にある十字マークで示したような、白すき入れから成るレジスターマーク又はＩＪＰ（インクジェットプリンタ）によるマーク６が抄造方向に一定間隔で複数箇所に付与されている。変形例１ではこのレジスターマーク又はＩＪＰによるマーク６に着目している。多層抄き合わせ紙Ｂは、このマーク６の位置ｖ（十字マークの交差中心点）に対して、開口部の位置ｑ（図面では開口部４の一つの角部の位置としたが、あらかじめ決めておけば中心位置等でもよい。）を、多層抄き合わせ紙Ｂの長手方向に開口部の位置ｑとマーク６の位置ｖの所定間隔ｓと定め、幅方向に開口部の位置ｑとマーク６の位置ｖの所定間隔ｔと定め、すき入れ５が開口部４内に入るように、開口部４が付与された中間層のシート２が挿入され定着される。つまり、開口部４が加工された中間層のシート２は、多層抄き合わせ紙Ｂの長手方向の開口部の位置ｑとマーク６の位置ｖの所定間隔ｓ又は幅方向の開口部の位置ｑとマーク６の位置ｖの所定間隔ｔのいずれか一方又は両方を調整して挿入する。よって、開口部４はすき入れ５の位置と一致する。
【００３６】
巻取装置で巻き取られた多層抄き合わせ紙Ｂは、切断する際に、切断されたすき入れが施された多層抄き合わせ紙の辺の位置から開口部の位置ｑまでが所定間隔となるように切断する。
【００３７】
（製造装置）
次に本発明を実施するための最良の形態の多層抄き合わせ紙の製造装置を図９で説明する。図９は、多層抄き合わせ紙の製造装置の全体構成を示す図である。図９において、多層抄き合わせ紙の製造装置７は、網帯からなり、循環するエンドレスな抄紙用のワイヤ８を有する。このワイヤ８は、従動用プーリ９と駆動用プーリ１０と間に架け渡され、更に図示しないが、ワイヤ８に沿っての内側に配置された複数の支持や案内をするロールにより支持され、案内されて循環移動する。
【００３８】
ワイヤ８の上流部１１（ワイヤの上面における移動始端部）には、上流側から下流側に向けて、下層紙料供給槽１２、中間層のシート供給装置１３、上層紙料供給槽１４が、間隔をおいて順次配設されている。
【００３９】
下層紙料供給槽１２及び上層紙料供給槽１４内には、それぞれ下層の懸濁液状の紙料１５及び上層の懸濁液状の紙料１６が充填され、適宜、図示しない供給源から補給され、所定の液位を維持するように制御されている。下層の懸濁液状の紙料１５及び上層の懸濁液状の紙料１６は、下層紙層１及び上層紙層３の素材となる材料であり、主にパルプ繊維、水及び添加剤から成る。
【００４０】
下層紙料供給槽１２及び上層紙料供給槽１４のそれぞれにおける下流部分には、下層紙料用目止め板１７及び上層紙料用目止め板１８が配置されている。下層紙料用目止め板１７及び上層紙料用目止め板１８のそれぞれとワイヤ８との間の隙間を通して、それぞれワイヤ８上に下層の懸濁液状の紙料１５及び上層の懸濁液状の紙料１６を供給し抄紙を可能とする。
【００４１】
中間層のシート供給装置１３による中間層のシート供給部位は、下層紙料供給槽１２の下流側であって上層紙料供給槽１４の上流側に設けられており、中間層のシート２をワイヤ８上に形成される下層の懸濁液状の紙層１９上に向けて供給する。この中間層のシート供給装置１３は、中間層のシート供給ドラム２０、テンションロール２１及び開口部４が加工された中間層のシート２の抄造方向への挿入位置を修正するための位置修正装置２２内の位置修正ロール２５を備えている。
【００４２】
中間層のシート供給ドラム２０には、帯状の中間層のシート２が巻きつけられており、この中間層のシート２をワイヤ８に向けて繰り出しながら供給する。帯状の中間層のシートには、上述のとおり、その長手方向に一定の間隔をおいて開口部４があらかじめ付与されている。ただし、中間層のシートに開口部４が付与されていない場合は、中間層のシート供給ドラム２０から中間層のシート２をワイヤ８に向けて繰り出しながら供給する間に、中間層のシートに加工機器３４によって長手方向に一定の間隔をおいて開口部４が加工される。
【００４３】
中間層のシート供給装置１３から供給される帯状の中間層のシート２の横幅は、下層紙料用目止め板１７からワイヤ８の上面（搬送面）に供給されて形成される下層の懸濁液状の紙層１９の横幅とほぼ同じであり、更に上層紙料用目止め板１８から下層の懸濁液状の紙層１９の上面に供給されて形成される上層の懸濁液状の紙層２３の横幅とほぼ同じである。
【００４４】
中間層のシートの位置修正装置２２は、位置修正ロール２５を制御するための位置制御器２４を有する。位置修正ロール２５は、多層抄き合わせ紙Ｂのすき入れ５の位置ｒと開口部の位置ｑの間隔が、長手方向にあらかじめ設定された開口部の位置ｑとすき入れ５の位置ｒの所定間隔ｓからずれた場合に、中間層のシート２の送り速度を調整して長手方向の開口部の位置のずれを修正する。変更例１では、開口部の位置ｑとレジスターマーク又はＩＪＰによるマークの位置ｖの間隔が、長手方向にあらかじめ設定された開口部の位置ｑとマークの位置ｖの所定間隔ｓからずれた場合に、中間層のシート２の送り速度を調整して長手方向の開口部の位置のずれを修正する。
【００４５】
位置修正ロール２５は、位置制御器２４からの制御信号で速度制御可能なモータにより駆動され、中間層のシート２の送り速度を積極的に増減できる送り制御の可能なロールで構成する。
【００４６】
中間層のシート供給ドラム２０は、その軸心の長手方向、すなわち中間層のシート２の幅方向に、巻き付けてある中間層のシートごと移動して幅方向に位置を調整できるように、図示しない中間層のシート供給ドラム幅方向位置調整装置で調整される構成となっている。これにより、中間層のシート供給ドラム幅方向位置調整装置は、開口部の位置ｑがすき入れ５の位置ｒの間隔が、幅方向にあらかじめ設定された開口部の位置ｑとすき入れ５の位置ｒの所定間隔ｔからずれた場合に、多層抄き合わせ紙Ｂに対して中間層のシート２を幅方向に移動して幅方向の開口部の位置のずれを修正する。変更例１では、開口部の位置ｑとレジスターマーク又はＩＪＰによるマークの位置ｖの間隔が、幅方向にあらかじめ設定された開口部の位置ｑとマークの位置ｖの所定間隔ｔからずれた場合に、多層抄き合わせ紙Ｂに対して中間層のシート２を幅方向に移動して幅方向の開口部の位置のずれを修正する。
【００４７】
ワイヤ８の下流部（ワイヤの上面の移動終端部）の下側には、搾水ボックス２６が配置されている。この搾水ボックス２６は、抄紙工程におけるワイヤ８の下流部において、下層の懸濁液状の紙層１９、中間層のシート２及び上層の懸濁液状の紙層２３内に含まれている水を吸引して搾水するものである。
【００４８】
ワイヤ８で形成された多層抄き合わせ紙Ｂは、図示しないガイドロールで案内され最終製品として巻取ロールで巻き取られるが、ワイヤ８と巻取ロールの間には、上流側から、プレスロール２７、乾燥装置２８（図９中想像線で示す。）及び位置ずれ検出装置２９が配設されている。プレスロール２７は多層抄き合わせ紙にすき入れを施す。
【００４９】
プレスロール２７は、多層抄き合わせ紙Ｂを挟持して更に下流の巻取ロール側に送る。すき入れは、周知のプレスロール２７又はタンディロール３１によって形成される。乾燥装置２８は、周知の乾燥装置を利用する。
【００５０】
位置ずれ検出装置２９は、位置検出器３０と位置ずれ判別器３２とを備えている。位置検出器３０はＣＣＤカメラ等を有する透過光画像を検知できる検知手段であり、検出対象である多層抄き合わせ紙Ｂを挟んで反対側に配置されたライトテーブル３３からの透過光を利用してすき入れ５の位置ｒと開口部の位置ｑを検出することによって両者の間隔を測定し、これを電気信号として位置ずれ判別器３２に送るものである。変形例１では、レジスターマーク又はＩＪＰによるマークの位置ｖと開口部の位置ｑを検出する。
【００５１】
位置ずれ判別器３２は、位置検出器３０から送られてきた開口部の位置ｑとすき入れ５の位置ｒの間隔と、あらかじめ設定されている長手方向の開口部の位置ｑとすき入れ５の位置ｒの所定間隔ｓ及び／又は幅方向の開口部の位置ｑとすき入れ５の位置ｒの所定間隔ｔとのずれの大きさ及びそのずれの方向を判別し、位置ずれ情報として位置制御器２４に送るものである。変形例１は、開口部の位置ｑとレジスターマーク又はＩＪＰによるマーク６の位置ｖの間隔と、あらかじめ設定されている長手方向の開口部の位置ｑとマーク６の位置ｖの所定間隔ｓ及び／又は幅方向の開口部の位置ｑとマーク６の位置ｖの所定間隔ｔとのずれの大きさ及びそのずれの方向を判別し、位置ずれ情報のデータを位置制御器２４に送る例である。
【００５２】
（製造方法）
すき入れが施された多層抄き合わせ紙の製造方法について、以下、順次説明する。
【００５３】
下層紙料供給槽１２内の下層の懸濁液状の紙料１５は、下層紙料供給槽１２から下層紙料用目止め板１７とワイヤ８の隙間を通して、循環移動中のワイヤ８の上面に供給する。ワイヤ８上に供給された下層の懸濁液状の紙層１９は、下層の懸濁液状の紙層１９として抄造方向に送られる。
【００５４】
開口部４が加工された帯状の中間層のシート２は、この下層の懸濁液状の紙層１９の上面に、中間層のシート供給装置１３から連続的に供給する。ただし、中間層のシートにあらかじめ開口部４が加工されていない場合は、中間層のシート供給ドラム２０から中間層のシート２をワイヤ８に向けて繰り出しながら供給する間に、中間層のシートに加工機器３４によって長手方向に一定の間隔をおいて開口部４が付与される。すると、帯状の中間層のシート２は、下層の懸濁液状の紙層１９とワイヤ８上で抄造方向に送られながら重なり、下層の懸濁液状の紙料１５は中間層のシート２の繊維間に入り込み、下層の懸濁液状の紙料１５のパルプ繊維と中間層のシート２の繊維が絡み合う。
【００５５】
次に、上層紙料供給槽１４内の上層の懸濁液状の紙料１６は、上層紙料供給槽１４から上層紙料用目止め板１８とワイヤ８の隙間を通して、下層の懸濁液状の紙料１５のパルプ繊維と重ねられた帯状の中間層のシート２の上面に供給される。すると、上層の懸濁液状の紙料１６は、ワイヤ８上で上層の懸濁液状の紙層２３として抄造方向に送られながら中間層のシート２と重なり、上層の懸濁液状の紙料１６は中間層のシート２の繊維間に入り込む。このように、ワイヤ８上に順次、下層の懸濁液状の紙料１５、開口部４が加工された中間層のシート２及び上層の懸濁液状の紙料１６を供給し、多層に重ね合わせて抄紙する。なお、中間層のシート２の開口部４が施された領域は、下層の懸濁液状の紙料１５の繊維と上層の懸濁液状の紙料１６の繊維が互いに入り組んで絡み合い、多層抄き合わせ紙Ｂの抄造が行われる。
【００５６】
多層抄き合わせ紙Ｂは、搾水ボックス２６を通過し、プレスロール２７により、すき入れ５を施す。このすき入れ５は、開口部の位置ｑから多層抄き合わせ紙Ｂの長手方向にあらかじめ設定された開口部の位置ｑとすき入れ５の位置ｒの所定間隔ｓの位置に施されるようにする。このように調整することによって、すき入れ５は開口部４内に配置される。すなわち、すき入れ５は、ワイヤの送り速度及び中間層のシート内の開口部の位置を考慮して、プレスロールの回転速度等を制御して形成される。しかしながら、実際は、中間層のシート挿入時において、開口部の位置ｑは、予定されるすき入れ５の位置ｒに対してあらかじめ設定されている長手方向の開口部の位置ｑとすき入れ５の位置ｒの所定間隔ｓ及び／又は幅方向の開口部の位置ｑとすき入れ５の位置ｒの所定間隔ｔの位置からずれる場合があるので、後述のようなずれ位置の修正が必要となる。
【００５７】
このように形成された多層抄き合わせ紙Ｂは、更に乾燥装置内を通過して乾燥され、最終製品として完成される。そして、多層抄き合わせ紙Ｂを製品として巻き取る巻取装置に送る途中で、位置ずれ検出装置２９により、当該多層抄き合わせ紙のすき入れ５の位置ｒと開口部の位置ｑの実際の間隔について、あらかじめ設定されている長手方向の開口部の位置ｑとすき入れ５の位置ｒの所定間隔ｓ及び／又は幅方向の開口部の位置ｑとすき入れ５の位置ｒの所定間隔ｔからのずれの量を検出し、位置ずれ情報も生成して、位置修正装置２２の位置制御器２４に送る。
【００５８】
すき入れで位置合せを行わない場合は、製品として巻き取る巻取装置に送る途中で、位置ずれ検出装置２９により、レジスターマーク又はＩＪＰによるマークの位置ｖと、開口部の位置ｑの実際の間隔について、あらかじめ設定されている長手方向の開口部の位置ｑとマークの位置ｖの所定間隔ｓ及び／又は幅方向の開口部の位置ｑとマークの位置ｖの所定間隔ｔからのずれの量を検出し位置ずれ情報を生成して、位置修正装置２２の位置制御器２４に送る。
【００５９】
位置制御器２４は、この位置ずれ情報を受けて位置修正ロール２５を制御して、中間のシート２の送りを制御する。すなわち、位置修正ロール２５は、位置制御器２４の命令によって、モータを介し送り速度を調整することで、帯状の中間層のシート２の送り速度を上げたり下げたりすることが可能となる。よって、中間のシート２に付与された開口部４の位置については、下層の懸濁液状の紙層１９に対する抄造方向の相対的な位置を調整することができる。位置修正ロール２５は、所定間隔ｓからずれた場合に、長手方向の開口部の位置ｑとすき入れ５の位置ｒの間隔又は開口部の位置ｑとレジスターマーク又はＩＪＰによるマークの位置ｖの間隔が、あらかじめ設定された長手方向の開口部の位置ｑとすき入れ５の位置ｒ又は開口部の位置ｑとマークの位置ｖの所定間隔ｓになるように中間層のシート２の送り速度を調整して長手方向の開口部の位置のずれを修正する。
【００６０】
中間層のシート供給ドラム２０は、その軸心の長手方向、すなわち中間層のシート２の幅方向に、巻き付けてある中間層のシートごと移動して幅方向に位置を調整できるように、図示しない中間層のシート供給ドラム幅方向位置調整装置で調整することができる。中間層のシート供給ドラム幅方向位置調整装置は、所定間隔ｔからずれた場合に、幅方向の開口部の位置ｑとすき入れ５の位置ｒの間隔又は開口部の位置ｑとレジスターマーク又はＩＪＰによるマークの位置ｖの間隔が、あらかじめ設定された幅方向の開口部の位置ｑとすき入れ５の位置ｒ又は開口部の位置ｑとマークの位置ｖの所定間隔ｔになるように中間層のシート２を幅方向に移動して幅方向の開口部の位置のずれを修正する。このように調整することによって、すき入れ５は開口部４内に配置される。
【００６１】
多層抄き合わせ紙は、下層紙料供給槽１２又は上層紙料供給槽１４に貯留された原料の紙料特性を異ならせて、色、坪量又は繊維構成を異ならせることも可能である。色の調節については繊維の種類の違い、顔料、染料の混合、漂白するか未漂白にとどめるか等の操作により可能である。坪量の調節については原料濃度及び原料吐出部の調整により可能である。繊維構成の調節については繊維の種類、配合割合、繊維長及び叩解度等を変化させることで可能である。
【実施例】
【００６２】
以下、実施例を用いて本発明を更に詳細に説明するが、本発明の内容は、これらの実施例の範囲に限定されるものではない。
【００６３】
（実施例１）
実施例１のすき入れが施された多層抄き合わせ紙は、図９に示した多層抄き合わせ紙の製造装置を用いて作製した。まず、針葉樹晒クラフトパルプの叩解度をカナディアンスタンダードフリーネス５５０ｍｌに調整し、下層の懸濁液状の紙料１５を得た。下層の懸濁液状の紙料１５は、下層紙料供給槽１２から下層紙料用目止め板１７とワイヤ８の隙間を通して、下層の懸濁液状の紙料１５を循環移動中のワイヤ８の上面に供給され、ワイヤ８上に供給された下層の懸濁液状の紙料１５は、下層の懸濁液状の紙層１９として抄造方向に送った。
【００６４】
次に、坪量２０ｇ／ｍ２、厚さ８７μｍ、ＪＩＳの透気度試験法で測定限界以下の透気性が高いレーヨン繊維で構成されるあらかじめ開口部が加工された巻取状の不織布から成る中間層のシート２を、不織布から成る中間層のシート供給ドラム２０にセットし、この下層の懸濁液状の紙層１９の上面に、不織布から成る中間層のシート供給装置１３からあらかじめ開口部が加工された帯状の不織布から成る中間層のシート２を連続的に供給した。開口部の大きさは縦５０ｍｍ、横５０ｍｍとした。あらかじめ加工される開口部は、レーザ照射装置によって波長１０．６μｍで加工した。さらに、不織布から成る中間層のシート２には、蛍光繊維が混抄され、磁気で印刷された印刷部が形成されている。不織布から成る中間層のシート２に施される開口部は、磁気で印刷された印刷部の領域以外の領域に形成されている。
【００６５】
下層の懸濁液状の紙料１５のパルプ繊維と重ねられた帯状の不織布から成る中間層のシート２のさらに上面に、針葉樹未晒クラフトパルプを、カナディアンスタンダードフリーネス５７０ｍｌに調整した上層の懸濁液状の紙料１６を上層紙料供給槽１４から上層紙料用目止め板１８とワイヤ８の隙間を通して上層の懸濁液状の紙料１６を供給した。
【００６６】
多層抄き合わせ紙は、搾水ボックス２６を通過し、プレスロール２７により、すき入れ５を施した。開口部内にすき入れが施されるように、開口部の位置とすき入れ５の位置の関係は、長手方向にあらかじめ設定された開口部の位置とすき入れ５の位置の所定間隔及び幅方向にあらかじめ設定された開口部の位置とすき入れ５の位置の所定間隔となるようにした。さらに、乾燥装置内を通過して乾燥され、巻取の多層抄き合わせ紙が完成された。巻取りの多層抄き合わせ紙は、所定の位置で断裁し、枚葉のすき入れが施された多層抄き合わせ紙を得た。すき入れが施された多層抄き合わせ紙のすき入れの領域は、不織布から成る中間層のシートが開口部によって施されていなく、上層及び下層の紙料の坪量は一定であるため、他の領域に比べ紙層が薄い状態であった。また、開口部では繊維のみで形成された状態であった。すき入れが施された多層抄き合わせ紙を透過光で観察した場合に、鮮明にすき入れが確認できた。
【００６７】
また、開口部の領域は、上層紙層の紙料及び下層紙層の紙料は互いに繊維が絡み合って結合されるため、不織布から成る中間層のシートに起因した剥離が困難であった。さらに、剥離しようとした結果は、開口部の領域から多層抄き合わせ紙の上層又は下層が破壊された。
【００６８】
次に、表１に示す大きさの開口部を有する多層抄き合わせ紙を用いて、それぞれの多層抄き合わせ紙を剥離しようとした場合は、多層抄き合わせ紙の上層又は下層が破壊される開口部の大きさについてのテストを行った。開口部の形状は円形、正方形でテストを行った。
【００６９】
【表１】
0004752611.tif 000002
【００７０】
表１に示すように多層抄き合わせ紙の上層又は下層が破壊された場合は○と評価し、サンプルによって多層抄き合わせ紙の上層又は下層が破壊された場合と、破壊されなかった場合は△と評価し、破壊されることなく多層抄き合わせ紙の上層又は下層が剥離された場合は×と評価した。表１に示すように開口部の直径は、１５ｍｍ以上で形成することによってきれいに層間剥離されることなく、多層抄き合わせ紙の上層又は下層が破壊された。
【図面の簡単な説明】
【００７１】
【図１】すき入れが施された多層抄き合わせ紙Ａ１とその断面図である。
【図２】すき入れが施された多層抄き合わせ紙Ａ２とその断面図である。
【図３】すき入れが施された多層抄き合わせ紙Ａ２を強引に手で剥離した場合を示す図である。
【図４】多層抄き合わせ紙Ａ２の開口部４ｂを多層抄き合わせ紙の周辺部に設けた場合を示す図である。
【図５】すき入れが施された多層抄き合わせ紙Ａ２を透過光で観察した場合を示す図である。
【図６】開口部４の形状の例を示す図である。
【図７】帯状の多層抄き合わせ紙Ｂを長手方向で観察した場合及びそのＸ−Ｘ’断面を示す図である。
【図８】白すき入れから成るレジスターマーク又はＩＪＰによるマーク６が抄造方向に一定間隔で複数箇所に付与されている例を示す図である。
【図９】本発明を実施するための最良の形態の多層抄き合わせ紙の製造装置を示す図である。
【符号の説明】
【００７２】
１          下層紙層
２          中間層のシート
３          上層紙層
４、４ａ、４ｂ          開口部
５          すき入れ
５ａ          すき入れの領域
６          レジスターマーク又はＩＪＰによるマーク
７          多層抄き合わせ装置
８          抄紙用のワイヤ
９          従動用プーリ
１０        駆動用プーリ
１１        ワイヤの上流部
１２        下層紙料供給槽
１３        中間層のシート供給装置
１４        上層紙料供給槽
１５        下層の懸濁液状の紙料
１６        上層の懸濁液状の紙料
１７        下層紙料用目止め板
１８        上層紙料用目止め板
１９        下層の懸濁液状の紙層
２０        中間層のシート供給ドラム
２１        テンションロール
２２        位置修正装置
２３        上層の懸濁液状の紙層
２４        位置制御器
２５        位置修正ロール
２６        搾水ボックス
２７        プレスロール
２８        乾燥装置
２９        位置ずれ検出装置
３０        位置検出器
３１        タンディロール
３２        位置ずれ判別器
３３        ライトテーブル
３４        加工機器
Ａ１、Ａ２          すき入れが施された多層抄き合わせ紙
Ｂ          多層抄き合わせ紙
ｐ          多層抄き合わせ周辺部
ｑ          開口部の位置
ｒ          すき入れの位置
ｓ          長手方向の所定間隔
ｔ          幅方向の所定間隔
ｖ          マークの位置
【図１】
0004752611.tif 000003
【図２】
0004752611.tif 000004
【図３】
0004752611.tif 000005
【図４】
0004752611.tif 000006
【図５】
0004752611.tif 000007
【図６】
0004752611.tif 000008
【図７】
0004752611.tif 000009
【図８】
0004752611.tif 000010
【図９】
0004752611.tif 000011